【手続補正書】
【提出日】平成16年5月24日(2004.5.24)
【手続補正１】
【補正対象書類名】明細書
【補正対象項目名】特許請求の範囲
【補正方法】変更
【補正の内容】
【特許請求の範囲】
【請求項１】 肺組織、またはそれに由来する細胞の成長状態をインビトロで調節する方法であって、該組織を、肺組織の増殖率を変化させるのに効果的な量の作用物質と異所的に接触させる工程を含み、該作用物質が、ヘッジホッグ治療物またはptc治療物から選択されることを特徴とする方法。
【請求項２】 肺組織の形成、または維持あるいは機能遂行をインビトロで誘発する方法であって、肺組織を、肺組織の形成を誘発するのに効果的な量の作用物質と接触させる工程を含み、該作用物質が、ヘッジホッグ治療物またはptc治療物から選択されることを特徴とする方法。
【請求項３】 前記肺組織が培養液中にあり、前記作用物質が細胞培養添加物として提供されることを特徴とする請求項１または２記載の方法。
【請求項４】 前記作用物質がヘッジホッグ治療物であることを特徴とする請求項１記載の方法。
【請求項５】 前記ヘッジホッグ治療物が、ヘッジホッグタンパク質の少なくとも生物活性細胞外部分のヘッジホッグポリペプチド配列を含むポリペプチドであることを特徴とする請求項４記載の方法。
【請求項６】 前記ポリペプチドが、前記ヘッジホッグタンパク質のN末端半分の少なくとも50アミノ酸残基を含むことを特徴とする請求項５記載の方法。
【請求項７】 前記ポリペプチドが、前記ヘッジホッグタンパク質の細胞外領域の少なくとも100アミノ酸を含むことを特徴とする請求項５記載の方法。
【請求項８】 前記ポリペプチドが、前記ヘッジホッグタンパク質の細胞外領域の19kdの断片に対応するヘッジホッグタンパク質の少なくとも一部を含むことを特徴とする請求項５記載の方法。
【請求項９】 前記ヘッジホッグタンパク質が、脊椎動物生体の遺伝子によりコードされていることを特徴とする請求項５記載の方法。
【請求項１０】 前記ポリペプチドが、配列番号２１の配列に示されるヘッジホッグポリペプチド配列を含むことを特徴とする請求項５記載の方法。
【請求項１１】 前記ポリペプチドが、配列番号２２の配列に示されるヘッジホッグポリペプチド配列を含むことを特徴とする請求項５記載の方法。
【請求項１２】 前記ヘッジホッグタンパク質が、ヒトヘッジホッグ遺伝子によりコードされることを特徴とする請求項５記載の方法。
【請求項１３】 前記ヘッジホッグポリペプチド配列が、配列番号９、配列番号１０、配列番号１１、配列番号１２、配列番号１３、配列番号１４、配列番号１５および配列番号１６からなる群より選択されるヘッジホッグタンパク質のアミノ酸配列に少なくとも60％同一であることを特徴とする請求項５記載の方法。
【請求項１４】 前記ヘッジホッグポリペプチド配列が、ストリンジェントな条件下で配列番号１、配列番号２、配列番号３、配列番号４、配列番号５、配列番号６、配列番号７および配列番号８からなる群より選択される配列にハイブリダイズするヌクレオチド配列によりコード可能であることを特徴とする請求項５記載の方法。
【請求項１５】 前記ヘッジホッグポリペプチド配列が、配列番号９、配列番号１０、配列番号１１、配列番号１２、配列番号１３、配列番号１４、配列番号１５および配列番号１６からなる群より選択されるヘッジホッグタンパク質のアミノ酸配列であることを特徴とする請求項５記載の方法。
【請求項１６】 前記ヘッジホッグポリペプチド配列が、ソニックヘッジホッグタンパク質のアミノ酸配列であることを特徴とする請求項５記載の方法。
【請求項１７】 前記作用物質が、ptc治療物であることを特徴とする請求項１記載の方法。
【請求項１８】 前記ptc治療物が、パッチ物タンパク質に結合し、パッチ物により媒介される有糸分裂の抑制を解除する小さい有機分子であることを特徴とする請求項１７記載の方法。
【請求項１９】 前記ptc治療物が、パッチ物に結合し、ヘッジホッグにより媒介されるパッチ物シグナル導入を模倣することを特徴とする請求項１７記載の方法。
【請求項２０】 前記ptc治療物が、小さい有機分子であることを特徴とする請求項１９記載の方法。
【請求項２１】肺組織の増殖率を変化させて肺組織またはそれに由来する細胞の成長状態を調節するための薬剤であって、ヘッジホッグ治療物またはptc治療物から選択される作用物質を含むことを特徴とする薬剤。
【請求項２２】肺組織の形成を誘発して肺組織の形成または維持あるいは機能遂行を誘発するための薬剤であって、ヘッジホッグ治療物またはptc治療物から選択される作用物質を含むことを特徴とする薬剤。
【請求項２３】 治療組成物として動物に投与されることを特徴とする請求項２１または２２記載の薬剤。
【請求項２４】 前記肺組織が培養液中にあり、該薬剤が細胞培養添加物として提供されることを特徴とする請求項２１または２２記載の薬剤。
【請求項２５】 前記作用物質がヘッジホッグ治療物であることを特徴とする請求項２１から２４いずれか１項記載の薬剤。
【請求項２６】 前記ヘッジホッグ治療物が、ヘッジホッグタンパク質の少なくとも生物活性細胞外部分のヘッジホッグポリペプチド配列を含むポリペプチドであることを特徴とする請求項２５記載の薬剤。
【請求項２７】 前記ポリペプチドが、前記ヘッジホッグタンパク質のN末端半分の少なくとも50アミノ酸残基を含むことを特徴とする請求項２６記載の薬剤。
【請求項２８】 前記ポリペプチドが、前記ヘッジホッグタンパク質の細胞外領域の少なくとも100アミノ酸を含むことを特徴とする請求項２６記載の薬剤。
【請求項２９】 前記ポリペプチドが、前記ヘッジホッグタンパク質の細胞外領域の19kdの断片に対応するヘッジホッグタンパク質の少なくとも一部を含むことを特徴とする請求項２６記載の薬剤。
【請求項３０】 前記ヘッジホッグタンパク質が、脊椎動物生体の遺伝子によりコードされることを特徴とする請求項２６記載の薬剤。
【請求項３１】 前記ポリペプチドが、配列番号２１の配列に示されるヘッジホッグポリペプチド配列を含むことを特徴とする請求項２６記載の薬剤。
【請求項３２】 前記ポリペプチドが、配列番号２２の配列に示されるヘッジホッグポリペプチド配列を含むことを特徴とする請求項２６記載の薬剤。
【請求項３３】 前記ヘッジホッグタンパク質が、ヒトヘッジホッグ遺伝子によりコードされることを特徴とする請求項２６記載の薬剤。
【請求項３４】 前記ヘッジホッグポリペプチド配列が、配列番号９、配列番号１０、配列番号１１、配列番号１２、配列番号１３、配列番号１４、配列番号１５および配列番号１６からなる群より選択されるヘッジホッグタンパク質のアミノ酸配列に少なくとも60％同一であることを特徴とする請求項２６記載の薬剤。
【請求項３５】 前記ヘッジホッグポリペプチド配列が、ストリンジェントな条件下で配列番号１、配列番号２、配列番号３、配列番号４、配列番号５、配列番号６、配列番号７および配列番号８からなる群より選択される配列にハイブリダイズするヌクレオチド配列によりコードされていることを特徴とする請求項２６記載の薬剤。
【請求項３６】 前記ヘッジホッグポリペプチド配列が、配列番号９、配列番号１０、配列番号１１、配列番号１２、配列番号１３、配列番号１４、配列番号１５および配列番号１６からなる群より選択されるヘッジホッグタンパク質のアミノ酸配列であることを特徴とする請求項２６記載の薬剤。
【請求項３７】 前記ヘッジホッグポリペプチド配列が、ソニックヘッジホッグタンパク質のアミノ酸配列であることを特徴とする請求項２６記載の薬剤。
【請求項３８】 前記作用物質が、ptc治療物であることを特徴とする請求項２１から２４いずれか１項記載の薬剤。
【請求項３９】 前記ptc治療物が、パッチ物タンパク質に結合し、パッチ物により媒介される有糸分裂の抑制を解除する小さい有機分子であることを特徴とする請求項３８記載の薬剤。
【請求項４０】 前記ptc治療物が、パッチ物に結合し、ヘッジホッグにより媒介されるパッチ物シグナル導入を模倣することを特徴とする請求項３８記載の薬剤。
【請求項４１】 前記ptc治療物が、小さい有機分子であることを特徴とする請求項４０記載の薬剤。